Podtech/llm-jp-corpus-v4-ja_patent huggingface dataset:
(57)【要約】【課題】エレベータ利用客による短距離の階間運行を行わないようにすることで全体的な運転効率を向上させるとともに、乗場呼びの登録状況によってはかご呼びの短距離の階間運行を可能とすることで利用客へのサービスを向上するエレベータの制御装置を提供する。【解決手段】乗込階の上下１階床の乗場呼びが登録されていることを検出する乗場呼び登録検出手段ステップ１３、ステップ３２と、前記乗場呼びが登録されていたときは乗込階の上下１階床の登録不可となっているかご呼びを登録可能とし、かご呼びを登録するかご呼び登録手段ステップ１４、ステップ３３を備えた。【選択図】図１
2008050084.tif 000002
【特許請求の範囲】
【請求項１】
乗場呼びに応答したエレベータの利用客の乗込み階の上下１階床のかご呼び登録を不可にする手段を備えたエレベータにおいて、前記乗込階の上下１階床の乗場呼びが登録されていることを検出する乗場呼び登録検出手段と、前記乗場呼びが登録されていたときは乗込階の上下１階床の登録不可となっているかご呼びを登録可能とし、かご呼びを登録するかご呼び登録手段を備えたことを特徴とするエレベータの制御装置。                  
【発明の詳細な説明】
【技術分野】
【０００１】
本発明はエレベータの制御装置に関する。
【背景技術】
【０００２】
従来の装置は、利用客が乗り場に設けられた乗場呼び釦を操作することによってエレベータを呼び寄せかごに乗り込み、かご内に設けられたかご呼び釦を登録することによって、目的階へ就役するようになっている。また特開平７−８１８５２号公報に記載のように短距離の階間運行を制限するため、乗場呼びに応答したエレベータの利用客の乗込み階に応じてかご呼び登録の可否を設定する構成となっていた。
【特許文献１】特開平７−８１８５２号公報
【発明の開示】
【発明が解決しようとする課題】
【０００３】
上記従来技術は、乗場呼びに応答したエレベータの利用客の乗込階に応じて乗込階の上下１階床のかご呼び登録を不可にすることにより、乗込階からの短距離就役を行わないようにすることで運転効率の向上や消費電力の低減を図っていた。しかし前記の運転は乗場呼びを考慮していないため、乗込階の上下１階床の乗場呼びが登録されていた場合、すなわち後に乗場呼びで停止する階のかご呼びであっても、呼び登録は不可となっており、利用客へのサービスを著しく低下させてしまう。
【０００４】
本発明の目的は、エレベータ利用客による短距離の階間運行を行わないようにすることで全体的な運行効率を向上させるとともに、乗場呼びの登録状況によってはかご呼びの短距離の階間運行を可能とすることで利用客へのサービスを向上するエレベータの制御装置を提供することにある。
【課題を解決するための手段】
【０００５】
上記目的を達成するために本発明は、乗場呼びに応答したエレベータの利用客の乗込階の上下１階床のかご呼び登録を不可にする手段を備えたエレベータにおいて、前記乗込み階の上下１階床の乗場呼びが登録されていることを検出する乗場呼び登録検出手段と、前記乗場呼びが登録されていたときは乗込階の上下１階床の登録不可となっているかご呼びを登録可能とし、かご呼びを登録するかご呼び登録手段を備えたことを特徴とする。
【発明の効果】
【０００６】
本発明によれば、エレベータの運行効率は従来技術と同一でありながら、乗込階から上下１階床の短距離を移動する利用客に対し、上下１階床の乗場呼びが登録されていれば短距離の階間運行を許可するものであるため、利用客へのサービスを向上されることができる。
【０００７】
また乗込階の乗場の呼び方向に応じた上下１階床のかご呼び登録を自動で行うため、上下１階床へ移動する利用客はかごに乗車した時点で短距離の階間運行の可否を判断することができ、且つかご呼び釦を押す操作も不要となる。
【発明を実施するための最良の形態】
【０００８】
本発明の一実施形態を図１に基づき説明する。
【０００９】
図１は本発明のエレベータ制御装置の一実施形態を示すフローチャートである。
【００１０】
まずステップ１１でエレベータは登録された乗場呼びに応答する。次にステップ１２で応答した乗場呼びが上方向へ呼びかを判定する。上方向であればステップ１３へ進み、違う場合はステップ３１へ進む。上方向の場合はステップ１３に進み、乗込階の上１階床に乗場呼びがあるかを判定する。上方向であればステップ１３へ進み、違う場合はステップ１１でエレベータは登録された乗場呼びに応答する。次にステップ１２で応答した乗場呼びが上方向への呼びかを判定する。上方向であればステップ１３へ進み、違う場合はステップ１３へ進む。上方向の場合はステップ１３に進み、乗込階の上１階床に乗場呼びがある場合はステップ１４へ進み、後にサービスする乗込階上１階床のかご呼びを自動で登録する。乗場呼びがない場合はステップ２１へ進み、乗込階上１階床のかご呼びは登録不可とする。
【００１１】
前記ステップ１２にて上方向への呼びではなかった場合、ステップ３１へ進む。すなわち下方向への呼びであった場合はステップ３２へ進み、乗込階の下の１階床に乗場呼びがあるかを判定する。乗場呼びがある場合はステップ３３へ進み、後にサービスする乗込階下１階床のかご呼びを自動で登録する。乗場呼びがない場合はステップ４１へ進み、乗込階下１階床のかご呼びは登録不可とする。
【００１２】
次にいずれの場合もステップ１５へ進み、かご呼びが登録されたかを判定する。自動で登録された階か利用客のかご呼び釦の操作にて登録された階に関わらず、かご呼びが登録されていればステップ１６にてかご呼びに応答する、かご呼びに応答後、またはかご呼びが登録されていなければ終了となる。
【００１３】
本発明によれば、エレベータの運行効率は従来技術と同一でありながら、乗込階から上下１階床の短距離を移動する利用客に対し、上下１階床の乗場呼びが登録されていれば短距離の階間運行を許可するものであるため、利用客へのサービスを向上させることができる。
【００１４】
また、乗込階の乗場呼び方向に応じた上下１階床のかご呼び登録を自動で行うため、上下１階床へ移動する利用客はかごに乗車した時点で短距離の階間運行の可否を判断することができ、且つかご呼び釦を押す操作も不要となる。
【図面の簡単な説明】
【００１５】
【図１】本発明の一実施形態を示すフローチャートである。
【図１】
2008050084.tif 000003
(57)【要約】      （修正有）【課題】居室等の空間の騒音を防止し、室内温度調節の効率を向上せしめ省エネルギー効果を持ち、さらに破損しにくく防犯性のあるガラスを提供する。前記性能に加えて、着色したり、柄をプリントすることにより、店舗などの装飾ガラスとしても利用できるガラスを提供する。【解決手段】２枚の普通ガラスあるいは強化ガラス１，３の間に、保熱性と遮音性を有する柔軟樹脂２を挟み込む。また、柔軟樹脂２を着色したり、柄をプリントしたりすることにより装飾ガラスとする。【選択図】図１
2008050243.tif 000002
【特許請求の範囲】
【請求項１】
本件は、普通板ガラス或いは強化ガラスの間に、保熱性の高い柔軟樹脂をはさみ合わせて、保温、防破損、遮音性を高めた、一般名称では、合わせガラスである。
【請求項２】
本合わせガラスの柔軟樹脂部分を着色またはデザインすることで、店舗などの装飾ガラスとして利用することができる。
【発明の詳細な説明】
【技術分野】
【０００１】  本件は、２枚の普通ガラスあるいは強化ガラスの間に、柔軟樹脂を挟み込んで、保熱、遮音、破損防止の効果のある一般の合わせガラスと同類のガラスである。【０００２】  本ガラスは、柔軟樹脂をはさみこむことで、ガラス破損時の破片が飛散するのを防止し、合わせて、柔軟樹脂の保熱性及び遮音性により、居室等の空間の騒音やエアコンなどの効率を高めることができる。【０００３】  本ガラスの柔軟樹脂を着色したり、柄をプリントしたりすることで、ガラスに装飾素材として利用することができる。【０００４】  本ガラスをテーブルトップ等として利用することもできる。
【背景技術】
【０００５】  省エネルギー効果を期待できる。
【発明が解決しようとする課題】
【０００６】  破損防止や保熱、遮音効果により省エネルギーとなる。また、防犯上も効果が期待できる。
【課題を解決するための最良の形態】
【０００７】  詳しい構造及び形態の説明は、図１によります．
【産業上の利用可能性】
【０００８】  建築物、住宅、店舗だけでなく利用方法を工夫することで、車や電車等にも利用が考えられる。
【図面の簡単な説明】
【０００９】
【図１】  ガラス構造説明
【符号の説明】
【００１０】  １．    第１ガラス
２．    柔軟樹脂層
３．    第２ガラス
【図１】
2008050243.tif 000003
(57)【要約】【課題】  従来の建材用混和剤は石綿系のものが主体であり、アスベスト問題でその使用が禁止されている現状にある。【解決手段】ポゾラン性を持つ任意の鉱石の粉末と、ベントナイトと、炭酸カルシウムの粉末を混合した混和剤とすることで、石綿を使用せずに、従来の石綿系混和剤と同等の性能を有する混和剤が具現化できる。【特許請求の範囲】
【請求項１】
ポゾラン性を持つ任意の鉱石の粉末と、ベントナイトと、炭酸カルシウムの粉末を混合した事を特徴とする混和剤。
【発明の詳細な説明】
【技術分野】
【０００１】  本発明は、モルタルやコンクリートなどの混和剤に関する。
【背景技術】
【０００２】  従来、前記の各々の建材の表層部の仕上げは、石綿系材料を主体とする混和剤を使用していた。
【発明の開示】
【発明が解決しようとする課題】
【０００３】  石綿系混和剤は、肺癌や中皮腫等の発症の原因が指摘され、現在、この種の混和剤の使用は禁止されており、石綿を混入せずに同様の効果が得られる混和剤の具現化が要望されている現状にある。【０００４】  本発明は、この要望を具現化することを目的としている。
【課題を解決するための手段】
【０００５】  本発明は上記目的を達成するために、ポゾラン性を持つ任意の鉱石の粉末と、炭酸カルシウムの粉末とベントナイトを概ね６：３：１の比率で混合した粉末とする。【０００６】  上記課題の解決手段による作用は次の通りである。すなわち、ポゾラン性鉱石の粉末が炭酸カルシウムと反応することにより石綿と同等の強度が得られ、さらに、ベントナイトが持つ鉱物糊の効果により、作業性も格段に向上する。
【発明の効果】
【０００７】
【０００８】  上述したように、本発明の混和剤は、従来の石綿系混和剤と同等の効果と作業性を、石綿を混入せずに具現化しており、現在問題視されているアスベスト問題を解決することが可能である。
【発明を実施するための最良の形態】
【０００９】  以下、本発明の実施の形態を説明する。【００１０】  天然ポゾランである流紋岩の粉末と、人工ポゾランであるところのフライアッシュと、炭酸カルシウムの粉末を各々３０パーセント混合し、これに、ベントナイトの粉末を１０パーセント添加した混合剤とする。
上記の各々の粉末は概ね５０ミクロンメーター程度の粒子とするのが望ましい。【００１１】  以上の構成により、石綿を使用せずに、石綿を使用した混合剤と同等の性能を有する混和剤を具現化できる。
(57)【要約】      （修正有）【課題】自由な大きさに切断して使用できるノーカットラベルにおいて、印刷物の修正箇所に貼る時など、添付数の多い作業では、剥離紙を剥がす時間を短縮可能なラベルを提供する。【解決手段】ノーカットラベルの剥離紙に切込んだスリット線上１に、スリット位置の表示線２を印刷する。【選択図】図１
2008158466.tif 000002
【特許請求の範囲】
【請求項１】
ノーカットラベルの剥離紙のスリット線上に、スリット位置表示線を印刷したノーカットラベル。
【発明の詳細な説明】
【技術分野】
【０００１】  本発明は、ノーカットラベルに関する。
【背景技術】
【０００２】  印刷した後に任意のサイズにカットして使用するノーカットラベルは、剥離紙に縦に切込んだスリットを入れて剥がし易くしている。
【発明の開示】
【発明が解決しようとする課題】
【０００３】  しかしながら、上述のノーカットラベルの剥離紙の切込みは、切込みのスリットの幅が極めて小さいので、どこが切込み位置なのか不明で、探すのに時間がかかったり、ラベルを痛めてしまうことがある。
しかるに本案は、これらの欠点を解決するノーカットラベルを提供するものである。
【課題を解決するための手段】
【０００４】  上記課題を解決する手段として本案は、ノーカットラベルの剥離紙の切込んだスリット線に沿ってスリットの位置を表示する表示線を印刷する。
【発明の効果】
【０００５】  幾つかに切断した個々のノーカットラベルは、剥離紙のスリットの位置がまちまちになるので、スリットの位置を探すのに手間取っていたが、本案のノーカットラベルはスリット線に沿って表示線が印刷されているので、一目でスリット位置が分り、手早く剥離紙を剥がすことが出来る。
【発明を実施するための最良の形態】
【０００６】  ノーカットラベルの剥離紙の切込みのスリット線上に、スリット位置の表示線を印刷する。
【実施例】
【０００７】  ［図１］は、ノーカットラベルの裏面の剥離紙の平面図である。通常、剥離紙には、剥離紙を剥がし易いように、縦に複数本の切込みによるスリット線１が形成されている。スリットは、プリンターを通るときにラベルから剥離紙が分離しないように、断続して形成されているものある。
本案は、ノーカットラベルの剥離紙の切込んだスリット線上に、スリット線の幅よりも十分に広い幅のスリット位置表示線２を印刷する。［図１］に斜線で表わしたスリット位置表示線２は、スリット位置表示線２の中央にスリット線１が位置するように印刷される。スリット位置表示線の線幅は、例えば２〜３ｍｍである。
印刷する線の色や濃さや線幅は任意である。
【産業上の利用可能性】
【０００８】  ノーカットラベルは、自由な大きさに切断して使用できるので、印刷物の修正箇所に貼る時など、添付数の多い作業では、剥離紙を剥がす時間を少しでも短縮したいものである。
本案のノーカットラベルにはスリット位置にスリット位置表示線が印刷されているので、直ちにその位置が判別でき、剥離時間を大幅に短縮でき、従ってラベルの傷みも軽減することが出来、経済的効果も期待できるものである。
【図面の簡単な説明】
【０００９】
【図１】ノーカットラベル裏面の剥離紙の平面図
【符号の説明】
【００１０】  １．スリット線
２．スリット位置表示線
【図１】
2008158466.tif 000003
(57)【要約】【課題】  同軸照明６の構成の顕微鏡ではピント合わせが難しい鏡面、ガラス面のピント合わせを正確に行える装置を提供する。【解決手段】  本発明は、図７の従来型の同軸照明６のみの構成の顕微鏡にピント合わせを正確に行うためのスリット光１０を合成する事により、被写体に同軸照明とスリット光が合成された光が当たった映像をＣＣＤカメラで映し出す。スリット光１０のある映像図１０の様にピント合わせの再現性、精度の向上が得られる。【選択図】図８
2008158465.tif 000002
【特許請求の範囲】
【請求項１】
光学顕微鏡に、投射スリット光を設ける事により、ピント位置合わせの精度向上、及びピントが合わせにくい被写体に対してもピントが合わせやすくなる光学顕微鏡。
【発明の詳細な説明】
【技術分野】
【０００１】  本発明は光学測定器でピント合わせが容易に行え、精度の高い測定するための測定器に関する。
【背景技術】
【０００２】  従来の光学顕微鏡及び、光学測定器では、ピント合わせに誤差が生じたり、個人誤差が生じたりするが、これらに対して対決策は無いと思われる。
【発明の開示】
【発明が解決しようとする課題】
【０００３】  従来の測定器は、測定物に光源を投射し、目視及び、ＣＣＤカメラで測定。【０００４】  以上に述べた方法では、鏡面やガラス面など被写体の表面がわかりにくい場合、ピントが合いにくい、ピント合わせ位置の再現性がよくない。【０００５】  よって測定時に測定者の違いによる個人誤差を引き起こす場合がある。【０００６】  本発明は、これらの問題を解決しようとするものであり、ピント合わせの精度、再現性の向上を目的とするものである。
【課題を解決するための手段】
【０００７】  そして、本発明は上記目的を達成するためにスリット光を備えた顕微鏡である。従来の顕微鏡を図７、スリット光を備えた顕微鏡を図８にしめす。【０００８】スリット光は、ピントが合うとスリットが細くなりピントがずれると太くなる特性があり、従来の顕微鏡が被写体に投射する光源にスリット光を付加することによりピント合わせの精度、再現性の向上するものである。【０００９】スリット光には、図１のピンホール形や図２のクロス形、図３のクロス形斜め、図４のサークル形などがある。
【発明の効果】
【００１０】  上記のように本発明の顕微鏡は、微小なピント合わせ、個人誤差が減少するものである。【００１１】  図５は、被写体に段差やゴミが付着していた場合スリット光が段差やゴミの形状を映しだしたもの。【００１２】  図６は被写体が反っているもの、傷がついている場合も同様に変化したもの。
【発明を実施するための最良の形態】
【００１３】  以下、本発明の実施の構成例を図７に示す。同軸照明６は、ミラー７に反射し、ハーフミラー５に反射して対物レンズ８を通り被写体に同軸照明６が当たりＣＣＤカメラ４で映像を映し出すことができる。映し出された映像の１例を図９とする。【００１４】  図８は、図７の顕微鏡構成にスリット光を付加した構成。同軸照明６は、ミラー７に反射し、ビームスプリッター１１により同軸照明６とスリット光１０を合成しハーフミラー５に反射して対物レンズ８を通り被写体に同軸照明６が当たりＣＣＤカメラ４で映像を映し出すことができる。映し出された映像の１例を図１０及び図１１とする。【００１５】  図９は、同軸照明６による映像で、図１０は図９にスリット光１０を投射し、ピントが合っている図を示す。ピントが合っているかの判定はスリット光の太さ及び明るさで判断する。【００１６】  図１１は、図９にスリット光１０を投射し、ピントが合っていない図を示す。図１０に対してスリット光が太くやや暗くなってしまう。【００１７】  スリット光が細く濃い部分がピントの合っていて、太くぼやけている部分がピントの合っていない状態であり、鏡面など被写体の映像を捕らえにくい物であってもスリット光ならばピントを正確に捉える事が出来る。
【図面の簡単な説明】
【００１８】
【図１】  スリット光−ピンホール
【図２】  スリット光−クロス形
【図３】  スリット光−クロス形斜め
【図４】  スリット光−サークル形
【図５】  図２のスリット光を投射した場合、１はゴミ、２は段差になっており３の部分のスリットが形状にそって太くなる。
【図６】  図２のスリット光を投射した場合、被写体が顕微鏡から沿っているとスリットも沿ってしまう。図６は、図２のスリット光が沿った時の図である。
【図７】  従来の顕微鏡の構成図
【図８】  本発明の顕微鏡の構成図
【図９】  スリット光を投射していない被写体。
【図１０】  図８に図３のスリット光を投射した状態でピントが合っているもの。
【図１１】  図８に図３のスリット光を投射した状態でピントが合っていないもの。
【符号の説明】
【００１９】  １…被写体に付着したゴミ  ２…被写体が段差になる部分  ３…被写体が段差になりスリット光が太くなる  ４…ＣＣＤカメラ  ５…ハーフミラー  ６…同軸照明  ７…ミラー  ８…対物レンズ  ９…被写体  １０…スリット光  １１…ビームスプリッター
【図１】
2008158465.tif 000003
【図２】
2008158465.tif 000004
【図３】
2008158465.tif 000005
【図４】
2008158465.tif 000006
【図５】
2008158465.tif 000007
【図６】
2008158465.tif 000008
【図７】
2008158465.tif 000009
【図８】
2008158465.tif 000010
【図９】
2008158465.tif 000011
【図１０】
2008158465.tif 000012
【図１１】
2008158465.tif 000013
(57)【要約】【課題】日常、メガネやサングラス等をポケットに入れたり、衣類の衿に掛けたりすることが多々ある。その際、つい身体を激しく動かしたり前かがみになってしまったときなど、メガネが落下してしまうことが多い。その危険性を解消するために、メガネの蔓２本と衣類を止めることのできるＬ字型クリップを提供する。【解決手段】（イ）  Ｌ字型クリップ１にすることで、メガネの蔓と衣類のポケット・衿等を挟みやすくする。（ロ）  クリップにメガネの蔓を挟む溝２を作る。（ハ）  溝２の内側にクション具材３を用いることで、メガネの蔓を傷つけないようにする。【選択図】図１
2008158467.tif 000002
【特許請求の範囲】
【請求項１】
Ｌ字型のクリップ
【請求項２】
クリップにメガネの蔓を挟む溝を作り、溝の内側にクッション具材を用い、メガネの蔓を傷つけないようにする。
【発明の詳細な説明】
【技術分野】
【０００１】本発明は、メガネ及びサングラス等を外し、洋服のポケットや衿に入れたり掛けたりした状態で、身体を動かした時や前かがみなった時、メガネ及びサングラス等の落下を防止するようにした物である。
【背景技術】
【０００２】従来は、洋服のポケット・衿等よりメガネの落下を防止するクリップはなかった。
【特許文献】
【０００３】
【発明の開示】
【発明が解決しようとする課題】
【０００４】メガネやサングラスを日常使用する際、わざわざケースにしまわず、ちょっとポケットに入れたり衿に掛けたりして用事をしていることが多い。そのため身体を動かしたり前屈みなったりした時、メガネやサングラスがポケットや衿から落下してしまうという難点があった。本発明は、この課題を解消するためになされたものである。
【課題を解決するための手段】
【０００５】クリップ本体１をＬ字型にし、溝２を作り、溝にクッション具材３を用いることにより、メガネの蔓２本を傷付けずに挟み衣類に止めるようにした。
【発明の効果】
【０００６】  （イ）  クリップ式なので取り扱いが簡単で、誰でも使用することができる。
（ロ）  このクリップを使うことで、ポケット・衿からのメガネの落下が防げ、安心し          て用事ができる。
（ハ）  メガネのポケット・衿からの落下を思い、ちょっとした場所へ置いてしまい忘          れてしうことがあるが、これを防ぐことができる。
【実施例１】
【０００７】  （イ）  クリップ本体１は、プラスチック等ソフトな素材か、金属の場合は表面にソフ          ト素材を加工したものとし、クリップの角を取ることでメガネを傷つけないよ          うにする。
（ロ）  クリップ本体１をＬ字型にし、溝２を作り、溝の内側にクション具材３を用い          メガネの蔓を傷つけないようにする。。
（ハ）  スプリングの部分にカバ−４を付け、衣類の生地の傷み絡みを防ぐ。
【図面の簡単な説明】
【０００８】
【図１】  本発明の透視図
【図２】  本発明の断面図
【図３】  本発明の使用状態を示す図である。
【符号の説明】
【０００９】  １  クリップ本体
２  溝
３  クション具材
４  スリングカバ−
【図１】
2008158467.tif 000003
【図２】
2008158467.tif 000004
【図３】
2008158467.tif 000005
(57)【要約】      （修正有）【課題】不法な侵入者が、窓やガラス引戸から中を覗い、侵入しょうとした際に、侵入者を撃退する。【解決手段】電動カーテンを左右に動かし、部屋の中に人気を創り出すことで、積極的視覚により侵入者を撃退し、そして、誤作動があっても騒音で近隣に迷惑をかけることがなく、更に、睡眠中の家人に動揺を与えることなく不法侵入者を撃退する。また、朝は自動でカーテンを開け、そして、夕方には自動でカーテンを閉めるという機能を追加することで長期家を留守する場合でもあたかも家人がいるように見せかけるというセキュリティ機能付き電動カーテンを提供する。【選択図】図２
2008158707.tif 000002
【特許請求の範囲】
【請求項１】
電動カーテンが閉じている状態において、窓やガラス引戸から不法な侵入者があった時に、これを赤外線センサーで感知し、カーテンを左右に動かすことにより人の気配を創り、そして、侵入者を撃退する機能を有する電動カーテン。
【請求項２】
請求項１の電動カーテンに於いて明るさセンサーを具備し、夜は、自動的にカーテンを閉め、夜間の電動カーテンの閉め忘れによる夜間の不法侵入者による中の覗いを防ぎ、昼間は、電動カーテンが開いている場合に不法侵入者を感知して自動的に電動カーテンを一旦閉じる機能を有する電動カーテン。
【請求項３】
請求項１の電動カーテンに於いて、夜は自動的にカーテンを閉め、昼間は、電動カーテンを自動的に開いてあたかも家人がいるように見せかける機能を有する電動カーテン。
【発明の詳細な説明】
【技術分野】
【０００１】
本発明は本来の遮光、或いは、目隠し機能を有する電動カーテンにセキュリティ機能を付加したものである。
【背景技術】
【０００２】
一般個建てやマンションを狙った空き巣や強盗が年々増加している。空き巣等の侵入経路は、塀や垣根などに身を隠しながら中の様子うを覗い、窓や引戸を破り、侵入する例が多い。このため、最近は様々なセキュリティグッズが販売されているが、殆どは、不法な侵入者を音、光、犬の鳴き声等で撃退するものである。
しかしながら、こうしたセキュリティグッズは、ペット等の動物や強風等で誤作動することもある。誤作動による大きな警報音が度重なると、ついつい、警報が鳴らないように電源を切ったりすることもある。
【０００３】
こうしたことから、誤作動を起こしても、周囲の住民に迷惑をかけず、侵入者にとっても防犯効果が高いセキュリティが望まれている。
【０００４】
一方、一般的なカーテンは遮光、目隠し、部屋の保温等が目的で使用されているのが殆どである。また、最近は電動カーテンが養護施設や病院或いは一般家庭で使用されてきている。これは、体の不自由な人や寝ながらボタン操作でカーテンの開閉ができるからである。
こうした電動カーテンも省エネのために冷暖房器に連動して開閉するものやお目覚めカーテン等のタイマー機能を備えたものが考案されている。また、カーテンそのものは目隠しにもなり、部屋の中を容易に覗わせないという防犯的な要素も持ち合わせている。
こうしたカーテンの持つ防犯効果をもう少し積極的に利用し、聴覚に訴えることなく視覚のみで確実に防犯することが大事である。
【特許文献１】特許公開２０００−１４６２６２
【特許文献２】特許公開平９−２７６１２２
【発明の開示】
【発明が解決しようとする課題】
【０００５】
この様な問題解決のため、不法な侵入者が、窓やガラス引戸から中を覗い、侵入しょうとした際に、電動カーテンを左右に動かし、部屋の中に人気を創り出すことで、積極的視覚により侵入者を撃退し、そして、誤作動があっても騒音で近隣に迷惑をかけることがなく、更に、睡眠中の家人に動揺を与えることなく不法侵入者を撃退する。また、朝は自動でカーテンを開け、そして、夕方には自動でカーテンを閉めるという機能を追加することで長期家を留守する場合でもあたかも家人がいるように見せかけるというセキュリティ機能付き電動カーテンを提供する。
【課題を解決するための手段】
【０００６】
遠隔ボタンで動く電動カーテンで不法侵入者を感知して、カーテンを左右に開閉運動させるために屋外に設置する赤外線センサーを備え、そして、暗くなる夜は家人が留守でも自動的に電動カーテンを閉じ、昼間、電動カーテンが開いて不法侵入者があった場合、一旦、電動カーテンが閉まり、その後、カーテンが左右に開閉させる明るさセンサーを備えた電動カーテンを提供する。
【発明の効果】
【０００７】
以上説明したように、不法侵入者に家の中を覗わせないというカーテンの基本を守り、更に、カーテンを左右に運動させるという積極的な視覚による撃退方法は、誤作動を生じても、周囲の住民に迷惑を掛けず、家人が睡眠中でも、家人に不安を与えず知らない間に侵入者を撃退しているというメリットも生ずる。更に、長期留守をする場合は朝明るくなったらカーテンを開き、夜は閉じるように繰り返すことであたかも家人がいつも通り生活していることを装うことも可能である。
【発明を実施するための最良の形態】
【０００８】
従来の遠隔操作ができる電動カーテンにわずかに機能を追加することで、効果の高いセキュリティ性を付加できるものであり、その他、お目覚めカーテン機能や省エネ機能を組み合わせた多機能電動カーテンとすることも可能となる。
【実施例１】
【０００９】
図１は電動カーテン本体の一般的構成を示したものである。電動カーテン１は制御ボックス２の指令により電動モータ４に正逆の回転を与え、駆動部５は回転運動をリニアーな動きに変換し、先導ランナー６を牽引する。該先導ランナー６および複数個のランナー７に吊り下げられたカーテン８は前記先導ランナー６に牽引され開閉の動きをする構成となっている。
【００１０】
図２はセキュリティ機能付き電動カーテンの全体構成を示し、防犯の具体的事例を示す。電動カーテン１は赤外線センサー3および明るさセンサー４を有しており、不法侵入者を感知し、左右にカーテンの開閉を繰り返す様子を示す。
【００１１】
図３はセキュリティ機能付き電動カーテンの制御構成を示したものである。電動カーテン制御部に赤外線センサーによる人の有無と明るさセンサーによる昼夜の区別を入力情報としている。
【００１２】
図４はセキュリティ機能付き電動カーテンの昼夜における動作図を示したものである。明るさセンサーにより昼夜を区別し、通常と不法侵入者有でのカーテン動作を変えている。
【図面の簡単な説明】
【００１３】
【図１】図１は電動カーテン本体の一般的構成を示したものである。
【図２】図２は本発明のセキュリティ機能付き電動カーテンの全体構成を示し、防犯の具体的事例を示す。
【図３】図３は本発明のセキュリティ機能付き電動カーテンの制御構成を示したものである。
【図４】図４はセキュリティ機能付き電動カーテンの昼夜における動作図を示したものである。
【符号の説明】
【００１４】
１  電動カーテン  
２  制御ボックス
３  赤外線センサー
４  明るさセンサー 
５  駆動部  
６  先導ランナー
７  ランナー
８  カーテン
【図１】
2008158707.tif 000003
【図２】
2008158707.tif 000004
【図３】
2008158707.tif 000005
【図４】
2008158707.tif 000006
(57)【要約】【課題】液晶表示装置について、ルーペなどを用いて目視により不良個所の解析を行う場合などに、画素部のアドレスの特定が容易に可能な液晶表示装置を提供することを目的とする。【解決手段】本発明の液晶表示装置は、対向基板間に液晶を封止してなる液晶パネルを備える液晶表示装置であって、対向基板のうちカラーフィルター基板は、行列状に配置された複数の画素１２を備え、複数の画素は、アドレス１４が印字されたダミー画素１１を含んで構成される。【選択図】  図２
2008310195.tif 000002
【特許請求の範囲】
【請求項１】
対向基板間に液晶を封止してなる液晶パネルを備える液晶表示装置であって、
前記対向基板のうちカラーフィルター基板は、行列状に配置された複数の画素を備え、
前記複数の画素は、アドレスが印字されたダミー画素を含む、
液晶表示装置。
【請求項２】
前記ダミー画素は、最外行と最外列に配置される、
請求項１に記載の液晶表示装置。
【請求項３】
前記アドレスは、レーザーマーキングにより印字される、
請求項１または請求項２に記載の液晶表示装置。
【発明の詳細な説明】
【技術分野】
【０００１】
この発明は、液晶表示装置に関し、特にそのカラーフィルター基板に関する。
【背景技術】
【０００２】
画素の位置を特定するためのバーコード状のアドレス指標が、画素部の外周部に形成された液晶表示装置について、画素部における異常箇所のアドレスを自動的に検出する検査装置が、特許文献１にて提案されている。
【０００３】
【特許文献１】特開２００４−２１４６９７号公報
【発明の開示】
【発明が解決しようとする課題】
【０００４】
しかしながら、特許文献１ではアドレスの指標がバーコードで形成されているため、画像処理装置などで処理してアドレスを検出する場合には効果があるが、ルーペなどを用いて目視により不良個所の解析を行う場合などは、アドレスを特定し難いという問題点があった。
【０００５】
この発明は上記のような問題点を解消するためになされたもので、目視によって容易にアドレスの特定が可能な液晶表示装置を提供することを目的とする。
【課題を解決するための手段】
【０００６】
本発明の液晶表示装置は、対向基板間に液晶を封止してなる液晶パネルを備える液晶表示装置であって、対向基板のうちカラーフィルター基板は、行列状に配置された複数の画素を備え、複数の画素は、アドレスが印字されたダミー画素を含んで構成される。
【発明の効果】
【０００７】
液晶表示装置に備えられる液晶パネルのカラーフィルター基板について、ダミー画素にアドレスが印字されることにより、ルーペなどを用いて目視により不良個所の解析を行う場合などに、容易にアドレスを特定することが可能となる。
【発明を実施するための最良の形態】
【０００８】
以下、この発明をその実施の形態を示す図面に基づいて具体的に説明する。
【０００９】
（構成）
図１は、本実施の形態に係る液晶表示装置に備えられる、液晶パネルの構成を示す図である。液晶表示装置は、液晶パネルの他に、パネル駆動用のドライバやバックライト、およびモジュールフレームなどの筐体を備えて構成される。
【００１０】
図１に示すように、液晶パネルはＴＦＴなどが形成されるアレイ基板１と、カラーフィルターなどが形成されるカラーフィルター基板２を有する。両基板は周辺部分についてシール材により対向して貼り付けられ、対向基板間には液晶が封止されて構成される。
【００１１】
また、周辺部分には液晶を注入するための液晶注入口が形成されており、液晶注入口には液晶注入口を封止するための封止材３が形成される。
【００１２】
図２は、本発明に係る液晶パネルをカラーフィルタ基板２側から見た平面図を示す。
【００１３】
カラーフィルター基板２は、透明基板上に行列状に配置されたカラーフィルターによる複数の画素１２を備え、画素１２間にはＢＭ（Black Matrix）１３が形成される。また、最外行と最外列にはアドレス１４が印字されたダミー画素１１が形成される。ダミー画素１１は、通常は電気信号を加えて表示することはないので、この画素にレーザーマーキングなどで印字しても影響はない。
【００１４】
（製法）
次に、図１、図２を用いて、液晶パネルの製造方法の説明を行う。
【００１５】
図１に示すアレイ基板１にはＴＦＴなどが形成され、カラーフィルター基板２にはカラーフィルターなどが形成される。また、カラーフィルターのダミー画素１１には、図２に示すようなアドレス１４がレーザーマーキングにより印字される。
【００１６】
その後、アレイ基板１とカラーフィルター基板２は、スペーサ等を間に挟んで互いに重ね合わせられ、両基板間の周辺部分は、液晶注入口を除いてシール材により貼り付けられる。貼り付け後、液晶注入口から液晶が注入され、液晶注入口は封止材３で封止される。
【００１７】
（効果）
カラーフィルターのダミー画素１１に、人間の目視による認識が可能なアドレス１４がレーザーマーキングなどで印字されることにより、ルーペなどを用いて目視により不良個所の解析を行う場合などに、カラーフィルター側から容易にアドレスを特定することが可能となる。
【図面の簡単な説明】
【００１８】
【図１】本発明の実施の形態に係る液晶パネルの平面図である。
【図２】本発明の実施の形態に係る液晶パネルをカラーフィルター基板側から見た平面図である。
【符号の説明】
【００１９】
１  アレイ基板、２  カラーフィルタ基板、３  封止材、１１  ダミー画素、１２  画素、１３  ＢＭ、１４  アドレス。  
【図１】
2008310195.tif 000003
【図２】
2008310195.tif 000004